(57)【要約】【課題】  明るい場所でも、レーザー光線を用いた墨だし作業を容易に行うことができるようにする。【解決手段】建築現場などにおいて床面などに設置されるレーザー墨だし器と、該レーザー墨だし器から照射されるレーザー光を離れた場所で反射し、該レーザー光を反射面上に投影する、任意の場所に持ち運び可能なレーザー墨だし器用補助具とで墨だしを行う。補助具は、基体と、該基体に保持されたレーザー光線反射鏡本体とで構成され、レーザー光線反射鏡本体のレーザー光反射領域の中心部に凸面鏡が設けられている。この凸面鏡の隣接して一方向又は周囲にエッジングプリズムからなる乱反射鏡が延びている。レーザー光反射領域には凸面鏡を通る直線の少なくとも２点を示す基準表示がある。【選択図】  図１
2012225653.tif 000002
【特許請求の範囲】
【請求項１】
建築現場などにおいて床面などに設置されるレーザー墨だし器と、該レーザー墨だし器から照射されるレーザー光を離れた場所で反射し、該レーザー光を反射面上に投影する、任意の場所に持ち運び可能なレーザー墨だし器用補助具とからなり、該補助具を、基体と、該基体に保持されたレーザー光線反射鏡本体とで構成し、該レーザー光線反射鏡本体のレーザー光反射領域の中心部に凸面鏡を設け、該凸面鏡に隣接して一方向又は周囲に延びるエッジングプリズムからなる乱反射鏡を設け、前記レーザー光反射領域に前記凸面鏡を通る直線の少なくとも２点を示す基準表示を設けたことを特徴とするレーザー墨だし装置。
【請求項２】
レーザー墨だし器から照射されるレーザー光を離れた場所で反射し、該レーザー光を反射面状に投影するための、任意の場所に持ち運び可能なレーザー墨だし器用補助具であって、基体と、該基体に保持されたレーザー光線反射鏡本体とから成り、レーザー光線反射鏡本体のレーザー光反射領域の中心部に凸面鏡を設け、該凸面鏡に隣接して一方向又は周囲に延びるエッジングプリズムからなる乱反射鏡を設け、前記レーザー光反射領域に前記凸面鏡を通る直線の少なくとも２点を示す基準表示を設けたことを特徴とするレーザー墨だし器用補助具。
【請求項３】
前記基準表示を前記直線に沿って前記レーザー光反射領域に基準線を描いて構成したことを特徴とする請求項２に記載のレーザー墨だし器用補助具。
【請求項４】
前記基準表示を、水平方向と垂直方向を示す少なくとも２つ設けたことを特徴とする請求項２に記載のレーザー墨だし器用補助具。
【請求項５】
前記基体の縁部に前記基準表示の延長線上に位置して、筆記具用の墨だし溝を設けたことを特徴とする請求項２に記載のレーザー墨だし器用補助具。
【請求項６】
前記基体がスケールで構成されることを特徴とする請求項２に記載のレーザー墨だし器用補助具。
【請求項７】
前記基体が、巻き取り型スケール具のスケールカバーで構成されることを特徴とする請求項２に記載のレーザー墨だし器用補助具。
【発明の詳細な説明】
【技術分野】
【０００１】
本発明は、レーザー墨だし装置及び該装置に用いられるレーザー墨だし器用の補助具に関する。
【背景技術】
【０００２】
従来、建築現場などにおいて床面などに設置し、床面、天井面、壁面にレーザー光を照射して墨だしラインを形成し、正確に墨だしを行えるようにしたレーザー墨だし器が知られている（例えば特許文献１参照）。
【先行技術文献】
【特許文献】
【０００３】
【特許文献１】特開２００２−１９５８３１号公報
【発明の概要】
【発明が解決しようとする課題】
【０００４】
レーザー光線による災害防止対策要綱の規定で、光線のエネルギー量を５段階に分けて災害の大きさを指導している。レーザー光線墨だし器は一般作業従事者が使用するもので、レーザー光線を直視しても網膜の損傷が起きないレベルの出力の光源を使用している。この光源はレーザー光線を投影した場合、蛍光灯の光でも６，７メートル離れると見えなくなり、昼の屋外では使用できないのが現状である。
本発明は上記問題点を解決することを目的とする。
【課題を解決するための手段】
【０００５】
上記目的を達成するため、本発明は、建築現場などにおいて床面などに設置されるレーザー墨だし器と、該レーザー墨だし器から照射されるレーザー光を離れた場所で反射し、該レーザー光を反射面上に投影する、任意の場所に持ち運び可能なレーザー墨だし器用補助具とからなり、該補助具を、基体と、該基体に保持されたレーザー光線反射鏡本体とで構成し、該レーザー光線反射鏡本体のレーザー光反射領域の中心部に凸面鏡を設け、該凸面鏡に隣接して一方向又は周囲に延びるエッジングプリズムからなる乱反射鏡を設け、前記レーザー光反射領域に前記凸面鏡を通る直線の少なくとも２点を示す基準表示を設けたものである。
また本発明は、レーザー墨だし器から照射されるレーザー光を離れた場所で反射し、該レーザー光を反射面状に投影するための、任意の場所に持ち運び可能なレーザー墨だし器用補助具であって、基体と、該基体に保持されたレーザー光線反射鏡本体とから成り、レーザー光線反射鏡本体のレーザー光反射領域の中心部に凸面鏡を設け、該凸面鏡に隣接して一方向又は周囲に延びるエッジングプリズムからなる乱反射鏡を設け、前記レーザー光反射領域に前記凸面鏡を通る直線の少なくとも２点を示す基準表示を設けたことを特徴とする。
また本発明は、前記基準表示を前記直線に沿って前記レーザー光反射領域に基準線を描いて構成したことを特徴とする。
また本発明は、前記基準表示を、水平方向と垂直方向を示す少なくとも２つ設けたことを特徴とする。
また本発明は、前記基体の縁部に前記基準表示の延長線上に位置して、筆記具用の墨だし溝を設けたことを特徴とする。
また本発明は、前記基体がスケールで構成されることを特徴とする。
また本発明は、前記基体が、巻き取り型スケール具のスケールカバーで構成されることを特徴とする。
【発明の効果】
【０００６】
本発明は、直射日光の当たる明るい場所でも凸面鏡により光源映像を鮮明に確認でき、レーザー光線を用いた墨だし作業を容易に行うことができる。
【図面の簡単な説明】
【０００７】
【図１】本発明の説明図である。
【図２】本発明の説明図である。
【図３】本発明の他の実施形態を示す正面図である。
【図４】本発明の他の実施形態を示す正面図である。
【図５】本発明の説明図である。
【発明を実施するための形態】
【０００８】
以下に本発明の構成を添付した図面を参照して詳細に説明する。
図２は、工事用レーザー墨出し装置の説明的外観図を示している。本装置は、レーザー光線発信機（レーザー墨だし器）１と、レーザー光線発信機１から照射されるレーザー光線を、該レーザー光線発信機１から離れた場所で、反射し光源映像を投影する墨だし器用補助具２とから構成されている。
【０００９】
レーザー光線発信機１は工事用レーザー墨だし器として、従来公知の市販の製品であり、水平方向にレーザー光線３を面状に照射する水平方向レーザー照射部と、垂直方向にレーザー光線４を面状に照射する垂直方向レーザー照射部とが設けられている。レーザー墨だし器用補助具２は、枠状の基体５に、反射投影用の反射鏡本体６が保持された構成となっている。
【００１０】
補助具２は、任意の場所に容易に持ち運び可能な重さと大きさを有し、レーザー光線発信機１とは別体に構成されている。基体５は、円盤状の底部と、その周囲に突設された周壁部とから構成され、底部と周壁部とで形成される浅い円柱状の嵌合凹部に、円盤状の反射鏡本体６が基体５の底部に対して水平に嵌合配置され、接着剤などの適宜な固定手段により、基体５に固定されている。
【００１１】
反射鏡本体６の表面側は開放され、該開放面がレーザー光反射投影面７を構成している。レーザー光反射投影面７は、中央部に外形が円形の、反射鏡本体６の主要部を占める大型の凸面鏡８が形成され、その周囲にレーザー光線乱反射鏡９が形成されている。この乱反射鏡９は、図５に示すように、エッジングプリズムを構成している。
【００１２】
前記反射鏡本体６の表面には、凸面鏡８の中心（芯）を通る直線上に基準線１０が４本適宜な方法により、描画されている。
【００１３】
尚、基準線１０は、直交する２本とこれに対して４５度の角度を有する２本が図示されている。前記基体５の周壁部には筆記具の先端を差し込み、基体５の裏面が接する駆体（図示省略）に印を付けるための墨だし溝１１が各基準線１０の延長線上に形成されている。
【００１４】
上記した構成において、床面上にレーザー光線発信機１を設置し、駆体の壁面の所定の位置に補助具２を手操作で、そのレーザー光反射投影面７をレーザー光線発信機１に向けて配置する。レーザー光線発信機１は、レーザー光線３，４を水平と垂直方向に面状に発射して、駆体に赤色の線を投影する。
以下、水平方向にレーザー光線３を面状に発射したときの動作について説明する。
【００１５】
明るい場所で見えない光線を検索する場合、水平のレーザー光線３に対して、反射鏡本体６を図２に示すように約垂直にして上下方向１２に移動すると凸面鏡８に光源が光源投影像１３として投影され、レーザー光の水平ラインが確認できる。その光源映像１３を、凸面鏡８の中央にくるように補助具２を微動させて合わせる。
【００１６】
同時に水平方向の基準線１０を光源影像１４の水平ラインに合わせる。その際水平レーザー光線３は反射鏡本体６のレーザー光線乱反射鏡９の小さな粒子反射により、レーザー光反射投影面７に赤色線１５が現れる。その線１５に凸面鏡８の中央（芯）と基準線１０を合わせることで、水平位置を正確に出すことができる。
【００１７】
駆体への墨だしは、基準線１０を延長した位置に溝１１が有るので、筆記用具の先端を溝１１に差し込み、駆体に印を付け基準線を転記する。凸面鏡８の光源影像１３は検索角度により焦点が移動して水平位置が変化するため、凸面鏡８の中央に光源の映像を移動させることができる。
【００１８】
レーザー光線乱反射鏡９のエッジングプリズムは、平面反射のため、正確にレーザー光線３の位置を投影する。したがって凸面鏡８の光源映像を中央の基準線１０に合わせることで、正確に水平基準を出すことができる。仮に反射鏡本体６が傾いても、乱反射鏡９のエッジングプリズムに投影されたレーザー光線３の水平位置は変化しない。
【００１９】
直射日光の当たる場所でのエッジングプリズム反射光線は粒子反射のため、光源が小さく確認は難しい。しかし、凸面鏡８の光源映像１４は鮮明に確認することができるため、前記の方法で水平基準線を出すことができる。凸面鏡８は光源が小さく反射され鋭い光となるが、目に障害を与えることはない。
【００２０】
レーザー光乱反射鏡９のエッジングプリズムは微粒の曲面になっているため広角に反射して、微粒光線の集合体になり濃い線１５があらわれる。尚、垂直基準線を出す場合の動作は、上記水平基準線を出す場合の動作と原理的には同一なのでその説明を省略する。
【００２１】
図３は、本発明をスケールに応用した実施形態を示している。スケールの本体１６は補助具の基体を構成し、その直角屈折部の表面に、該屈折部に沿ってＬ状にレーザー反射鏡本体１７が固設されている。この反射鏡本体１７の９０度に屈折する部分の略中央部には、凸面鏡１８が設けられ、該凸面鏡８の配置領域から、直角二方向には、レーザー光乱反射鏡１９が設けられている。
【００２２】
この乱反射鏡１９は、図５に示すエッジングプリズムにより構成されている。乱反射鏡１９の水平方向に延びる乱反射領域１９ａには、凸面鏡１８の表面の芯を通る水平基準線２０が描かれ、垂直方向に延びる乱反射領域１９ｂには、垂直基準線２１が描かれている。図中、符号２２は、凸面鏡１８に映った垂直光源映像、２３は水平光源映像、２４，２５は、乱反射鏡１９に映った水平レーザー光線映像、２６，２７は垂直レーザー光線映像である。
【００２３】
上記した構成において、レーザー光線発信器１に向けて駆体の壁面にスケール本体１６を配置し、このスケール本体１６の凸面鏡１８にレーザー光を当て、スケール本体１６を微調整し、基準線２０をレーザー光線映像２４に合わせる。次にスケール本体１６の目盛を基準表示に用いて、筆記具で駆体に印しを付け、水平を測定する。同じ要領で垂直を測定する。
図４は、本発明の他の実施形態を示し、巻き取り型のスケール具２８のスケールカバー２９が補助具の基体を構成している。このスケールカバーの表面に反射鏡本体３０が設けられ、該本体３０の表面にエッジングプリズムから成るレーザー光乱反射鏡３１が設けられている。
【００２４】
この乱反射鏡３１の乱反射領域の中央に位置して、凸面鏡３２が配置固定されている。凸面鏡３２の表面と乱反射鏡３１及びスケールカバー２９の表面には、凸面鏡３２の表面の芯を通る基準線３４，３５が２本互いに直交して描かれている。これら基準線３４，３５の延長線上に位置して、スケールカバー２９には、筆記具用の墨だし溝３６が設けられ、基準線３５，３６の位置を、墨だし溝３６に筆記具を当てて、駆体表面に記入できるようになっている。スケール３７の目盛形成面には、図３に示す実施形態と同様に、エッジングプリズムからなる湾曲自在なレーザー光反射鏡３８が固設されている。
【００２５】
上記した構成において、レーザー光発機１に向けて駆体の壁面にスケールカバー２９を配置し、このスケールカバー２９の凸面鏡３２にレーザー光を当てる。これにより反射鏡本体３０のレーザー光反射投影面に赤色線３９，４０が現れる。その線３９，４０に基準線３４，３５を合わせることで、水平垂直位置を正確に出すことができる。
【符号の説明】
【００２６】
１        レーザー光線発信機
２        墨だし器用補助具
３        レーザー光線
４        レーザー光線
５        基体
６        反射鏡本体
７        レーザー光反射投影面
８        凸面鏡
９        レーザー光乱反射鏡
１０      基準線
１１      墨だし溝
１２      方向
１３      光源影像
１４      光源影像
１５      赤色線
１６      スケール本体
１７      反射鏡本体
１８      凸面鏡
１９      レーザー乱反射鏡
１９ａ    乱反射領域
１９ｂ    乱反射領域
２０      水平基準線
２１      垂直基準線
２２      垂直光源映像
２３      水平光源映像
２４      水平レーザー光線映像
２５      水平レーザー光線映像
２６      垂直レーザ光線映像
２７      垂直レーザー光線映像
２８      スケール具
２９      スケールカバー
３０      反射鏡本体
３１      光乱反射鏡
３２      凸面鏡
３４      基準線
３５      基準線
３６      墨だし溝
３７      スケール
３８      レーザー光乱反射鏡
３９      赤色線
４０      赤色線
【図１】
2012225653.tif 000003
【図２】
2012225653.tif 000004
【図３】
2012225653.tif 000005
【図４】
2012225653.tif 000006
【図５】
2012225653.tif 000007